(57)【要約】【課題】  使用者に割り込み着信音を容易に認識させることができる「ハンズフリー装置、ナビゲーション装置及び割り込み着信通知方法」を提供する。【解決手段】  通話中に割り込み着信があった場合に、通話音声と共に入力される通知信号を検出する着信音量解析部２と、割り込み着信を検出すると、アンプのゲインを所定値高くして通知信号の出力を大きくする電話機制御部３とを有する構成としている。割り込み着信を検出すると、アンプのゲインを所定値高くして通知信号の出力を大きくするので、雑音等の大きい車内であっても割り込み着信の通知信号を使用者に認識させることができる。【選択図】        図１
2006211365.tif 000002
【特許請求の範囲】
【請求項１】
車両に搭載され、携帯電話と接続してハンズフリー通話を実現するハンズフリー装置であって、
通話中に割り込み着信があった場合に、通話音声と共に入力される通知信号を検出する検出部と、
前記割り込み着信を検出すると、アンプのゲインを所定値高くして前記通知信号の出力を大きくする制御部とを有することを特徴とするハンズフリー装置。
【請求項２】
車両に搭載され、携帯電話と接続してハンズフリー通話を実現するハンズフリー装置であって、
通話中に割り込み着信があった場合に、通話音声と共に入力される通知信号を検出する検出部と、
前記割り込み着信を検出すると、前記通話音声に割り込み着信を通知する通知音を重ねて出力する制御部とを有することを特徴とするハンズフリー装置。
【請求項３】
前記制御部は、前記通話音声を出力するスピーカとは異なるスピーカに、前記通知音を出力することを特徴とする請求項２記載のハンズフリー装置。
【請求項４】
前記制御部は、前記割り込み着信があったことを表示部に表示させることを特徴とする請求項１から３のいずれか１項記載のハンズフリー装置。
【請求項５】
請求項１から４のいずれか１項記載のハンズフリー装置を備えることを特徴とするナビゲーション装置。
【請求項６】
前記制御部は、具備している前記スピーカのうち、使用していない前記スピーカを検出して、前記通知音を出力することを特徴とする請求項５記載のナビゲーション装置。
【請求項７】
通話中に割り込み着信があった場合に、通話音声と共に入力される通知信号を検出するステップと、
前記割り込み着信を検出すると、アンプのゲインを所定値高くして前記通知信号の出力を大きくするステップと、を有することを特徴とする割り込み着信通知方法。
【請求項８】
通話中に割り込み着信があった場合に、通話音声と共に入力される通知信号を検出するステップと、
前記割り込み着信を検出すると、前記通話音声に割り込み着信を通知する通知音を重ねるて出力するステップと、を有することを特徴とする割り込み着信通知方法。
【発明の詳細な説明】
【技術分野】
【０００１】
本発明は、ハンズフリー装置、ナビゲーション装置及び割り込み着信通知方法に関し、特に通話中に入力される割り込み着信を通知するハンズフリー装置、ナビゲーション装置及び割り込み着信通知方法に関する。
【背景技術】
【０００２】
近年、車の走行中に運転者が電話機を手に持って通話することによる事故が多発している。このため、電話機を手に持たずに通話することができる種々のハンズフリー装置が提案されている（例えば、特許文献１参照）。
【０００３】
従来のハンズフリー装置では、着信音、通話音等の受話音を電話機から受け取り、ハンズフリー装置でスピーカ出力音量に調整し、ユーザに提供している。また送話音は、ハンズフリー装置のマイクで取得したものをゲイン調整した上で携帯電話機に送っている。
【０００４】
【特許文献１】特開２００４−３１２０５５号公報
【発明の開示】
【発明が解決しようとする課題】
【０００５】
しかしながら、ハンズフリーでは、スピーカと耳とが離れており、スピーカ以外の音（例えばロードノイズ、エンジン音、風切り音）が割り込んでくる。これらの雑音の影響でハンズフリーでは割り込み着信音の認識が難しいという問題がある。
【０００６】
割り込み着信音は、電話機を耳に当てている状態で、会話を邪魔しない程度の音量となるように設定されており、ハンズフリーでは聞き取りにくいという問題がある。
【０００７】
本発明は上記事情に鑑みてなされたものであり、使用者に割り込み着信音を容易に認識させることができるハンズフリー装置、ナビゲーション装置及び割り込み着信通知方法を提供することを目的とする。
【課題を解決するための手段】
【０００８】
かかる目的を達成するために本発明のハンズフリー装置は、車両に搭載され、携帯電話と接続してハンズフリー通話を実現するハンズフリー装置であって、通話中に割り込み着信があった場合に、通話音声と共に入力される通知信号を検出する検出部と、前記割り込み着信を検出すると、アンプのゲインを所定値高くして前記通知信号の出力を大きくする制御部とを有する構成としている。このように割り込み着信を検出すると、アンプのゲインを所定値高くして通知信号の出力を大きくするので、雑音等の大きい車内であっても割り込み着信の通知信号を使用者に認識させることができる。
【０００９】
本発明のハンズフリー装置は、車両に搭載され、携帯電話と接続してハンズフリー通話を実現するハンズフリー装置であって、通話中に割り込み着信があった場合に、通話音声と共に入力される通知信号を検出する検出部と、前記割り込み着信を検出すると、前記通話音声に割り込み着信を通知する通知音を重ねて出力する制御部とを有する構成としている。このように割り込み着信を検出すると、通話音声に割り込み着信を通知する通知音を重ねて出力するので、雑音等の大きい車内であっても割り込み着信の通知信号を使用者に認識させることができる。
【００１０】
上記ハンズフリー装置において、前記制御部は、前記通話音声を出力するスピーカとは異なるスピーカに、前記通知音を出力するとよい。通話音声を出力するスピーカとは異なるスピーカに、割り込み着信の通知音を出力するので、使用者にさらに割り込み着信を認識しやすくすることができる。
【００１１】
上記ハンズフリー装置において、前記制御部は、前記割り込み着信があったことを表示部に表示させるとよい。割り込み着信があったことを表示するので、割り込み着信を使用者に認識させることができる。
【００１２】
本発明のナビゲーション装置は、上記ハンズフリー装置を備えたことを特徴としている。ハンズフリー装置を備えたナビゲーション装置において、雑音等の大きい車内であっても割り込み着信の通知信号を使用者に認識させることができる。
【００１３】
上記ナビゲーション装置において、前記制御部は、具備している前記スピーカのうち、使用していない前記スピーカを検出して、前記通知音を出力するとよい。スピーカの使用状況に応じて、通知音を出力するスピーカを選択することができるので、ナビゲーション装置のナビゲーション音声や、通話音声を出力しているスピーカとは異なるスピーカに通知音を出力することができる。
【００１４】
本発明の割り込み着信通知方法は、通話中に割り込み着信があった場合に、通話音声と共に入力される通知信号を検出するステップと、前記割り込み着信を検出すると、アンプのゲインを所定値高くして前記通知信号の出力を大きくするステップと、を有している。このように割り込み着信を検出すると、アンプのゲインを所定値高くして通知信号の出力を大きくするので、雑音等の大きい車内であっても割り込み着信の通知信号を使用者に認識させることができる。
【００１５】
本発明の割り込み着信通知方法は、通話中に割り込み着信があった場合に、通話音声と共に入力される通知信号を検出するステップと、前記割り込み着信を検出すると、前記通話音声に割り込み着信を通知する通知音を重ねるて出力するステップと、を有している。このように割り込み着信を検出すると、通話音声に割り込み着信を通知する通知音を重ねて出力するので、雑音等の大きい車内であっても割り込み着信の通知信号を使用者に認識させることができる。
【発明の効果】
【００１６】
本発明は、使用者に割り込み着信音を容易に認識させることができる。
【発明を実施するための最良の形態】
【００１７】
次に、添付図面を参照しながら本発明の最良の実施例を説明する。
【実施例１】
【００１８】
まず、図１を参照しながら本実施例の構成を説明する。図１に示すように本実施例のハンズフリー装置１は、車両に搭載され、携帯電話等の電話ユニット２０に接続する。また図１に示すようにハンズフリー装置１は、着信音量解析部２と、電話機制御部３と、メモリ４と、音源５と、ユーザインタフェース制御部（以下、ＵＩ制御部とも表記する）６と、ゲイン調整回路７と、アンプ８と、スピーカ９と、マイク１０とを有している。
【００１９】
着信音量解析部２は、電話ユニット２０とアンプ８とをつなぐオーディオ線に接続し、通話中割り込み着信の通知信号を検出する。割り込み着信の通知信号は、予め定められた周波数の信号であるので、この所定周波数の信号を着信音量解析部２は検出し、電話機制御部３に割り込み着信を通知する。
【００２０】
電話機制御部３は、ハンズフリー装置１の全体を制御すると共に、着信音量解析部２から割り込み着信の通知を受けた場合には、音源５に割り込み着信を通知する所定の通知音を出力させる。これにより電話ユニット２０からの通話音声と通知信号に、音源５からの通知音が重ねられて、スピーカ出力となる。また電話機制御部３は、スピーカ９の音量を一定量上げる制御を行なう。これにより電話ユニット２０からの通話音声や割り込み着信の通知音が大きくなり、ユーザが通知音を聞き取りやすくなる。アンプ８のゲインは、メモリ４に記録されており、電話機制御部３は割り込み着信があった場合には、メモリ４を参照してアンプ８のゲインを所定値に設定する。なお、音源５から出力する通知音は、通話音声を出力しているスピーカ９とは異なるスピーカ９を用いて出力するようにしてもよい。
【００２１】
ユーザインタフェース制御部６は、電話機制御部３から通話中割り込み着信ありの通知を受けた場合に、ディスプレイ２１に割り込み着信があった旨を表示する。
【００２２】
本実施例では、スピーカ９は図２に示すように運転席側、助手席側、運転席側後方、助手席側後方のぞれぞれに４つ設けられている。電話機制御部３には、オーディオ装置やナビゲーション装置から使用中のスピーカ９を通知する信号が入力されている。電話機制御部３は、ナビゲーション装置やオーディオ装置などの他の装置が使用していないスピーカ９を検出して、電話ユニット２０からの通話音や割り込み着信の通知音を出力させる。
【００２３】
ゲイン調整回路７は、マイク１０から入力したユーザ音声のゲインを調整して電話ユニット２０に出力する。アンプ８は、電話ユニット２０からの通話音や音源から出力される割り込み着信の通知音を電話機制御部３の制御に従って増幅する。
【００２４】
図３に示すシーケンスチャートを参照しながら本実施例の第１の動作手順を説明する。音声通話中に、着信音量解析部２で割り込み着信の通知信号を検出すると、電話機制御部３は、メモリ４を参照してアンプ８の増幅度の設定値を取得する。設定値を取得すると、電話機制御部３は、取得した設定値となるようにアンプ８のゲインを設定する。また、ユーザインタフェース制御部６に割り込み着信があった旨を通知し、ディスプレイ２１に割り込み着信を表示させる。
【００２５】
次に、図４に示すシーケンスチャートを参照しながら本実施例の第２の動作手順を説明する。音声通話中に割り込み着信があると、電話機制御部３はアンプ８の増幅度を設定する。ここまでの動作は、上述した第１の動作手順と同様である。その後、電話機制御部３は、音源５を制御して割り込み着信の通知音を生成し、生成した通知音をスピーカ９から出力させる。この通知音は、電話ユニット２０から出力される通話音声と通知信号に重ねて出力する。また、割り込み着信の通知音は、電話ユニット２０からの通話音声と通知信号とは異なるスピーカ９から出力してもよい。
【００２６】
このように本実施例は、通話中割り込み着信の通知信号を検出すると、割り込み着信を通知する通知信号を生成して出力する、又はアンプ８の増幅度を上げて電話ユニット２０からの割り込み着信音が大きくなるように設定するので、雑音の多い車内であっても、通話中割り込み着信を認識することができる。
【実施例２】
【００２７】
次に、本発明の第２実施例について説明する。本実施例は、上述したハンズフリー装置１をナビゲーション装置３０に搭載した実施例である。
【００２８】
ナビゲーション装置３０は、目的地検索時に該当する道路地図を案内表示する装置であり、主にＧＰＳ受信機１７、地図データ記憶部１８、表示装置１９などを有し、メイン制御部１６によって統括制御される。
【００２９】
またナビゲーション装置３０は、音声認識部１２を備え、マイク１０から入力された音声で装置の動作を制御することもできる。また、ナビゲーション用の音声を合成音声生成部１５で生成し、アンプ８を介してスピーカ９に出力する。
【００３０】
このような構成のナビゲーション装置３０においても、上述した第１実施例と同様に、着信音声解析部２で通話中割り込み着信の通知信号を検出すると、割り込み着信を通知する通知音を生成して出力する。またはアンプ８の増幅度を上げて電話ユニット２０からの割り込み着信音が大きくなるように設定するので、雑音の多い車内であっても、通話中割り込み着信を認識することができる。
【００３１】
またナビゲーション装置３０には、出力切換部１４が設けられている。出力切換部１４は、メイン制御部１６の制御に従って、割り込み着信の通知音を出力するスピーカ９を切り換える。この手順について図６に示すフローチャートを参照しながら説明する。
【００３２】
着信があると、メイン制御部１６は、予め設定されたスピーカ９に電話ユニット２０からの通話音声を出力する。例えば、図２に示すスピーカ９の配置では、運転席近くのスピーカ９を使用して通話音声を出力する。このあと、ナビゲーション装置３０のナビゲーション音声を助手席近くのスピーカ９から出力中に、着信音声解析部２で通話中割り込み着信の通知信号を検出したものとする。メイン制御部１６は音源５で生成した通知音を出力するスピーカ９を選択する。まず、第１優先に設定されたスピーカ９の状態を検出する。例えば、第１優先のスピーカとして運転席近くのスピーカが設定されているものとする。このスピーカ９は、通話音声の出力に使用されているため（ステップＳ１／ＮＯ）、次に、第２優先に設定されたスピーカ９の状態を検出する。例えば、第２優先のスピーカ９として助手席近くのスピーカ９が設定されているとする。このスピーカ９はナビゲーション音声の出力に使用されているため（ステップＳ２／ＮＯ）、第３優先に設定されたスピーカ９の状態を検出する。例えば、第３優先のスピーカ９として運転席後方のスピーカ９が設定されているとする。この第３優先のスピーカ９が使用されていなかった場合には（ステップＳ３／ＹＥＳ）、メイン制御部１６は、このスピーカ９を選択して割り込み着信の通知音を出力する（ステップＳ６）。また、メイン制御部１６は、第３優先のスピーカ９が使用されていた場合には（ステップＳ３／ＮＯ）、第４優先のスピーカ９を選択して割り込み着信の通知音を出力する（ステップＳ７）。
【００３３】
なお、この説明では、スピーカ９に優先度を設定して優先度の高い順に使用するようにしているが、スピーカ９に応じて出力する音を決定しておいてもよい。例えば、ナビゲーション音声は、運転席近くのスピーカ９から出力し、通話音声は、助手席側のスピーカ９から出力し、割り込み着信の通知音は、運転席後方のスピーカ９から出力するといった具合である。また、スピーカ９を占有している時間に応じて使用するスピーカ９を切り換えても良い。例えば、長く占有するハンズフリーの通話音声は、第２優先のスピーカ９から出力し、占有時間の短いナビゲーション音声や割り込み着信の通知音は第１優先のスピーカ９を使用する。
【００３４】
上述した実施例は本発明の好適な実施例である。但し、これに限定されるものではなく、本発明の要旨を逸脱しない範囲内において種々変形実施可能である。例えば、割り込み着信を通知する通知音として、予め設定されたＣＤやＭＤの音楽を流すようにしてもよい。
【図面の簡単な説明】
【００３５】
【図１】ハンズフリー装置の構成を示す図である。
【図２】車内のスピーカの取り付け位置を示す図である。
【図３】ハンズフリー装置の動作手順を示すシーケンスチャートである。
【図４】ハンズフリー装置の動作手順を示すシーケンスチャートである。
【図５】ナビゲーション装置の構成を示す図である。
【図６】使用するスピーカの選択手順を示すフローチャートである。
【符号の説明】
【００３６】
１  ハンズフリー装置              ２  着信音量解析部
３  電話機制御部                  ４  メモリ
５  音源                          ６  ＵＩ制御部
７  ゲイン調整回路                ８  アンプ
９  スピーカ                      １０  マイク
１１  Ａ／Ｄ変換部                １２  音声認識部
１３  電話機Ｉ／Ｆ                １４  出力切換部
１５  合成音声生成部              １６  メイン制御部
１７  ＧＰＳ受信機                １８  地図データ記憶部
１９  表示装置                    ２０  電話ユニット
【図１】
2006211365.tif 000003
【図２】
2006211365.tif 000004
【図３】
2006211365.tif 000005
【図４】
2006211365.tif 000006
【図５】
2006211365.tif 000007
【図６】
2006211365.tif 000008